(57)【要約】【課題】ノイズを低減し高周波信号の伝送が好適に行える生体モニタ用プローブを提供すること。【解決手段】生体モニタ用プローブ１はパッド部２とケーブル部３とコネクタ部４とを備えると共に帰還回路Ｋ１を備える。パッド部２はＦＥＴ２１とフォトダイオード２２と抵抗器２３とを備える。コネクタ部４はオペアンプ４１を備える。帰還回路Ｋ１はオペアンプ４１とケーブル部３と帰還抵抗である抵抗器２３とインピーダンス変換素子であるＦＥＴ２１とを備える。ＦＥＴ２１の入力であるゲートＧはフォトダイオード２２のカソードＣ１が接続され、ＦＥＴ２１の出力であるドレインＤはケーブル部３を介してオペアンプ４１の入力に接続される。オペアンプ４１の入力側のケーブル部３のインピーダンスを低減できる。この構成によって、ケーブル部３が低インピーダンスなので、ケーブル部３に発生するノイズを抑制できる。【選択図】図３
2014094176.tif 000002
【特許請求の範囲】
【請求項１】
生体モニタ用プローブであって、
パッド部を備え、
前記パッド部は、光検出器とインピーダンス変換素子とを有し、
前記インピーダンス変換素子の入力は、前記光検出器に接続される、ことを特徴とする生体モニタ用プローブ。
【請求項２】
前記パッド部は、帰還抵抗を有し、
前記帰還抵抗は、前記インピーダンス変換素子の前記入力に接続される、
ことを特徴とする請求項１に記載の生体モニタ用プローブ。
【請求項３】
第１の信号線および第２の信号線を有するケーブル部を更に備え、
前記インピーダンス変換素子の出力に第１の信号線が接続され、前記帰還抵抗に第２の信号線が接続されることで帰還回路を形成する、
ことを特徴とする請求項２に記載の生体モニタ用プローブ。
【請求項４】
オペアンプを有するコネクタ部を更に備え、
前記オペアンプの出力は、前記第２の信号線と前記帰還抵抗とを介して前記インピーダンス変換素子の前記入力に接続され、
前記オペアンプの入力は、前記第１の信号線を介して前記インピーダンス変換素子の前記出力に接続される、
ことを特徴とする請求項３に記載の生体モニタ用プローブ。
【請求項５】
前記インピーダンス変換素子は、電界効果トランジスタである、
ことを特徴とする請求項１〜４の何れか一項に記載の生体モニタ用プローブ。
【発明の詳細な説明】
【技術分野】
【０００１】
本発明は、生体モニタ用プローブに関する。
【背景技術】
【０００２】
特許文献１には、生体センサが開示されている。生体センサは、センサパッドとケーブルと光源と光検出器とコネクタとブースター回路とシールドとを備える。ケーブルは、センサパッドとコネクタとを接続する。光検出器と光源とは、センサパッドに設けられている。光源は、光検出器に光学的に接続されている。ブースター回路は、コネクタに設けられている。コネクタは、ケーブルを介して、光検出器と光源とに接続されている。シールドは、ケーブルとセンサパッドとをシールドする。シールドは、ブースター回路と光検出器とに接続されている。ブースター回路は、シールドを介して、光検出器に接続されている。ブースター回路は、ケーブルに生じるノイズを低減するために、コネクタに設けられている。
【先行技術文献】
【特許文献】
【０００３】
【特許文献１】米国特許代７７４１５９２号明細書
【発明の概要】
【発明が解決しようとする課題】
【０００４】
特許文献１のように、シールドを伴う同軸ケーブルは、ケーブルにおけるノイズの発生をシールドによって低減することができるため、比較的に高いインピーダンスを有する高周波信号の伝送に不可欠であるが、同軸ケーブルは太くて硬い。そのため、生体モニタ用プローブとしては、取り回しづらく不向きであるため、可能ならば用いないほうがよい。よって、同軸ケーブルを用いなくても、ノイズを低減しつつ高周波信号の送信が好適に行える生体センサの開発が望まれている。そこで、本発明の目的は、上記の事項を鑑みてなされたものであり、ノイズを低減し高周波信号の伝送が好適に行える生体モニタ用プローブを提供することである。
【課題を解決するための手段】
【０００５】
本発明に係る生体モニタ用プローブは、パッド部を備え、前記パッド部は、光検出器とインピーダンス変換素子とを有し、前記インピーダンス変換素子の入力は、前記光検出器に接続される。インピーダンス変換素子は、パッド部に設けられ、パッド部に設けられる光検出器に接続されている。インピーダンス変換素子は、光検出器から出力される信号を受ける。インピーダンス変換素子の出力側のインピーダンスをインピーダンス変換素子によって低減することができる。従って、インピーダンス変換素子の出力側のインピーダンスが低減されるので、比較的に高い周波数の信号の伝送が好適に行える。また、インピーダンス変換素子の出力側のインピーダンスが低減されるので、インピーダンス変換素子の出力側の信号に対するノイズの影響を低減できる。
【０００６】
本発明に係る生体モニタ用プローブにおいて、前記パッド部は、帰還抵抗を有し、前記帰還抵抗は、前記インピーダンス変換素子の前記入力に接続される。帰還抵抗がパッド部に設けられているので、パッド部の出力側のインピーダンスが低減されるため、パッド部の出力側の信号に対するノイズの影響が低減される。
【０００７】
本発明に係る生体モニタ用プローブは、第１の信号線および第２の信号線を有するケーブル部を更に備え、前記インピーダンス変換素子の出力に第１の信号線が接続され、前記帰還抵抗に第２の信号線が接続されることで帰還回路を形成する。このように、ケーブル部は、インピーダンス変換素子の出力に接続されているので、ケーブル部のインピーダンスは、低減される。更に、ケーブル部は、帰還回路の低インピーダンス部分に含まれる。従って、ケーブル部のインピーダンスは低減され、ケーブル部は帰還回路の低インピータンス部分に含まれるので、ケーブル部に発生するノイズは、低減される。
【０００８】
本発明に係る生体モニタ用プローブは、オペアンプを有するコネクタ部を更に備え、前記オペアンプの出力は、前記第２の信号線と前記帰還抵抗とを介して前記インピーダンス変換素子の前記入力に接続され、前記オペアンプの入力は、前記第１の信号線を介して前記インピーダンス変換素子の前記出力に接続される。コネクタ部は、外部装置に接続されるものであり、生体に貼り付けられるパッド部に比較して、形状の選択の自由度は高い。従って、オペアンプは、このようなコネクタ部に収容されるのが、好適である。
【０００９】
本発明に係る生体モニタ用プローブにおいて、前記インピーダンス変換素子は、電界効果トランジスタである。このように、インピーダンス変換素子に形状の小さな電界効果トランジスタを用いることができるので、インピーダンス変換素子を設けることが容易となる。
【発明の効果】
【００１０】
本発明によれば、ノイズを低減し高周波信号の伝送が好適に行える生体モニタ用プローブを提供できる。
【図面の簡単な説明】
【００１１】
【図１】図１は、実施形態に係る生体モニタ用プローブの外観の一例を示す図である。
【図２】図２は、実施形態に係る他の生体モニタ用プローブの外観の一例を示す図である。
【図３】図３は、実施形態に係る生体モニタ用プローブの主要な構成の一例を示す図である。
【図４】図４は、実施形態に係る生体モニタ用プローブの主要な構成の他の一例を示す図である。
【図５】図５は、実施形態に係る生体モニタ用プローブの構成の変形例を説明するための図である。
【発明を実施するための形態】
【００１２】
以下、図面を参照して、本発明に係る好適な実施形態について詳細に説明する。なお、図面の説明において、可能な場合には、同一要素には同一符号を付し、重複する説明を省略する。図１は、実施形態に係る生体モニタ用プローブの外観の一例を示す図である。図１に、実施形態に係る生体モニタ用プローブ１の外観の一例と実施形態に係る生体モニタ用プローブ１ａの外観の一例とを示す。生体モニタ用プローブ１ａは、生体モニタ用プローブ１の変形例である。
【００１３】
図１に示す生体モニタ用プローブ１は、パッド部２、ケーブル部３、コネクタ部４を備える。ケーブル部３の端部Ｔ１ａは、パッド部２に接続される。ケーブル部３の他の端部Ｔ１ｂは、コネクタ部４に接続される。
【００１４】
パッド部２は、板形状を有する。パッド部２の表面Ｓ１は、基準線Ａｘの方向に長尺である。パッド部２の表面Ｓ１は、基準線Ａｘに沿って延びる。パッド部２は、端部Ｔ２ａを備える。端部Ｔ２ａは、基準線Ａｘの方向におけるパッド部２の二つの端部の一方である。基準線Ａｘの方向にある端部Ｔ２ａは、ケーブル部３の端部Ｔ１ａに接続される。パッド部２は、生体の皮膚に直接貼り付けられる。パッド部２の表面Ｓ１は、生体の皮膚に貼り付け可能な粘着剤を有する。パッド部２は、図３に示す電気回路ＥＣ１を備える。パッド部２の電気回路ＥＣ１は、パッド部２が貼り付けられている生体から発せられる光を、検出する。パッド部２の電気回路ＥＣ１は、検出結果に対応する電流信号を、ケーブル部３（特に図３に示す信号線３１）を介して、コネクタ部４に伝送する。
【００１５】
ケーブル部３は、例えば、図３に示す信号線３１と信号線３２とを含む。ケーブル部３は、複数の信号線から構成されるキャブタイヤケーブルで構成されることが好ましい。ただし、同軸ケーブルによって構成されてもよい。
【００１６】
コネクタ部４は、ケーブル部３を介して、パッド部２に接続される。コネクタ部４は、例えば、図３に示すオペアンプ４１を備える。オペアンプ４１は、パッド部２からケーブル部３を介して伝送された電流信号を電圧信号に変換し、電圧信号を外部装置Ｅｐ（図３を参照）に出力する。オペアンプ４１から出力する電圧信号は、コネクタ部４に接続される外部装置Ｅｐに伝送される。
【００１７】
図１に示す生体モニタ用プローブ１ａは、パッド部２ａ、ケーブル部３、コネクタ部４ａを備える。ケーブル部３の端部Ｔ１ａは、パッド部２ａに接続される。ケーブル部３の他の端部Ｔ１ｂは、コネクタ部４ａに接続される。
【００１８】
パッド部２ａは、板形状を有する。パッド部２ａの表面Ｓ１は、基準線Ａｘの方向に長尺である。パッド部２ａの表面Ｓ１は、基準線Ａｘに沿って延びている。端部Ｔ２ａは、基準線Ａｘの方向におけるパッド部２ａの二つの端部の一方である。基準線Ａｘの方向にある端部Ｔ２ａは、ケーブル部３の端部Ｔ１ａに接続される。パッド部２ａは、生体の皮膚に直接貼り付けられる。パッド部２ａの表面Ｓ１は、生体の皮膚に貼り付け可能な構成を有する。パッド部２ａの表面Ｓ１の材料は、パッド部２の表面Ｓ１の材料と同一とすることができる。パッド部２ａは、図４に示す電気回路ＥＣ２を備える。パッド部２ａの電気回路ＥＣ２は、パッド部２ａが貼り付けられている生体から発せられる光を、検出する。パッド部２ａの電気回路ＥＣ２は、検出結果に対応する電流信号を、ケーブル部３（特に図４に示す信号線３１）を介して、コネクタ部４ａに伝送する。
【００１９】
ケーブル部３は、例えば、図４に示す信号線３１と信号線３２とを含む。ケーブル部３は、同軸ケーブルとは異なっている。
【００２０】
コネクタ部４ａは、ケーブル部３を介して、パッド部２ａに接続される。コネクタ部４ａは、例えば、図４に示すオペアンプ４５を備える。オペアンプ４５は、パッド部２ａからケーブル部３を介して伝送された電流信号を電圧信号に変換し、電圧信号を外部装置Ｅｐ（図４を参照）に出力する。オペアンプ４５から出力する電圧信号は、コネクタ部４ａに接続される外部装置Ｅｐに伝送される。
【００２１】
図２は、実施形態に係る他の生体モニタ用プローブの外観の一例を示す図である。図２に、実施形態に係る生体モニタ用プローブ１１の外観の一例と実施形態に係る生体モニタ用プローブ１１ａの外観の一例とを示す。図２に示す生体モニタ用プローブ１１は、図１に示す生体モニタ用プローブ１の変形例である。図２に示す生体モニタ用プローブ１１ａは、図１に示す生体モニタ用プローブ１ａの変形例である。生体モニタ用プローブ１及び生体モニタ用プローブ１ａと、生体モニタ用プローブ１１及び生体モニタ用プローブ１１ａとの主な相違点は、パッド部２におけるケーブル部３の端部Ｔ１ａとの接続位置の相違である。
【００２２】
図２に示す生体モニタ用プローブ１１において、ケーブル部３の端部Ｔ１ａは、パッド部２の端部Ｔ２ｂに接続される。パッド部２の端部Ｔ２ｂは、基準線Ａｘに沿って延びる一の縁端の略中央にある。図２に示す生体モニタ用プローブ１１のパッド部２の電気回路の配線は、図１に示す生体モニタ用プローブ１のパッド部２の電気回路の配線に対し、ケーブル部３の端部Ｔ１ａとの接続位置の相違に応じた設計変更が、施されている。
【００２３】
図２に示す生体モニタ用プローブ１１ａにおいて、ケーブル部３の端部Ｔ１ａは、パッド部２ａの端部Ｔ２ｂに接続される。パッド部２ａの端部Ｔ２ｂは、基準線Ａｘに沿って延びる一の縁端の略中央にある。図２に示す生体モニタ用プローブ１１ａのパッド部２ａの電気回路の配線は、図１に示す生体モニタ用プローブ１ａのパッド部２ａの電気回路の配線に対し、ケーブル部３の端部Ｔ１ａとの接続位置の相違に応じた設計変更が、施されている。
【００２４】
図３は、実施形態に係る生体モニタ用プローブの主要な電気回路の一例を示す図である。生体モニタ用プローブ１と生体モニタ用プローブ１１とは、同一の電気回路ＥＣ１を備える。電気回路ＥＣ１は、ＦＥＴ２１（インピータンス変換素子、フィールド・エフェクト・トランジスタ（電界効果トランジスタ））、フォトダイオード２２（光検出器）、抵抗器２３（帰還抵抗）、抵抗器２４、抵抗器２５、電源２６、ケーブル部３、オペアンプ４１、抵抗器４２、抵抗器４３、電源４４を備える。電気回路ＥＣ１は、帰還回路Ｋ１を備える。ＦＥＴ２１のドレインＤ（出力）に信号線３１が接続され、抵抗器２３の端子２３＿１に信号線３２が接続されることで、帰還回路Ｋ１を形成する。帰還回路Ｋ１は、ＦＥＴ２１、オペアンプ４１、抵抗器２３、ケーブル部３を備える。パッド部２は、ＦＥＴ２１、フォトダイオード２２、抵抗器２３、抵抗器２４、抵抗器２５、電源２６を備える。ケーブル部３は、信号線３１（第１の信号線）、信号線３２（第２の信号線）を備える。コネクタ部４は、オペアンプ４１、抵抗器４２、抵抗器４３、電源４４を備える。
【００２５】
ＦＥＴ２１は、インピーダンス変換素子の一例である。ＦＥＴ２１は、ｐ型の電界効果トランジスタである。ＦＥＴ２１のゲートＧ（入力）は、抵抗器２３の端子２３＿２とフォトダイオード２２のカソードＣ１とに接続される。ＦＥＴ２１のゲートＧは、フォトダイオード２２のカソードＣ１から出力される電流信号を受ける。ＦＥＴ２１のドレインＤ（出力）は、抵抗器２５の端子２５＿１と、ケーブル部３の信号線３１とに接続される。ＦＥＴ２１のドレインＤは、信号線３１を介して、オペアンプ４１の端子４１ａに電気的に接続される。ＦＥＴ２１のドレインＤから出力される電圧信号は、信号線３１を介して、オペアンプ４１の端子４１ａに入力する。ＦＥＴ２１のソースＳは、抵抗器２４の端子２４＿１に接続される。ＦＥＴ２１および抵抗器２５は、ＦＥＴ２１のドレイン側（出力側）のインピーダンスを低減する。具体的に、ＦＥＴ２１および抵抗器２５は、オペアンプ４１の端子４１ａのインピーダンスを低減する。
【００２６】
フォトダイオード２２は、光検出器の一例である。フォトダイオード２２のアノードＡ１は、シグナルグランドに接続される。フォトダイオード２２のカソードＣ１は、ＦＥＴ２１のゲートＧと抵抗器２３の端子２３＿２とに接続される。フォトダイオード２２は、パッド部２に配置された近赤外の光を発する光源（不図示、例えばＬＥＤやＬＤ）からの光が、パッド部２が貼り付けられている生体に入射され、生体を透過した光を検出する。
【００２７】
抵抗器２３は、帰還抵抗の一例である。抵抗器２３の端子２３＿１は、ケーブル部３の信号線３２に接続されている。抵抗器２３の端子２３＿２は、フォトダイオード２２のカソードＣ１とＦＥＴ２１のゲートＧとに接続される。
【００２８】
抵抗器２４の端子２４＿１は、ＦＥＴ２１のソースＳに接続される。抵抗器２４の端子２４＿２は、電源２６に接続される。電源２６の電圧は、抵抗器２４を介して、ＦＥＴ２１のソースＳに印加される。抵抗器２５の端子２５＿１は、ＦＥＴ２１のドレインＤに接続される。抵抗器２５の端子２５＿２は、シグナルグランドに接続される。
【００２９】
オペアンプ４１は、端子４１ａ、端子４１ｂ、端子４１ｃを備える。オペアンプ４１の端子４１ａ（入力）は、＋端子である。オペアンプ４１の端子４１ｂ（出力）は、出力端子である。オペアンプ４１の端子４１ｃは、−端子である。オペアンプ４１の端子４１ａは、ケーブル部３の信号線３１を介して、ＦＥＴ２１のドレインＤに電気的に接続される。オペアンプ４１の端子４１ａのインピーダンスは、ＦＥＴ２１および抵抗器２５によって低減される。オペアンプ４１は、信号線３１と端子４１ａとを介して、ＦＥＴ２１のドレインＤから出力される電気信号を受ける。オペアンプ４１の端子４１ｂは、ケーブル部３の信号線３２に接続される。オペアンプ４１の端子４１ｂは、信号線３２を介して、抵抗器２３の端子２３＿１に電気的に接続される。オペアンプ４１の端子４１ｂは、信号線３２と抵抗器２３とを介して、ＦＥＴ２１のゲートＧに電気的に接続される。オペアンプ４１は抵抗器２３を流れる電流信号を電圧に変換し、この電圧信号をオペアンプ４１の端子４１ｂに接続される、例えば外部装置Ｅｐに出力する。外部装置Ｅｐは、比較的に低いインピーダンスを有することができる。オペアンプ４１の端子４１ｃは、抵抗器４２の端子４２＿１と抵抗器４３の端子４３＿１とに接続される。抵抗器４２の端子４２＿２は、電源４４に接続される。抵抗器４３の端子４３＿２は、シグナルグランドに接続される。電源４４の電圧は、抵抗器４２と抵抗器４３とによって分圧される。この分圧された電圧は、オペアンプ４１の端子４１ｃに印加される。
【００３０】
図４は、実施形態に係る生体モニタ用プローブの主要な電気回路の他の一例を示す図である。生体モニタ用プローブ１ａと生体モニタ用プローブ１１ａとは、同一の電気回路ＥＣ２を備える。電気回路ＥＣ２は、オペアンプ２７（インピータンス変換素子）、フォトダイオード２２ａ、抵抗器２３ａ、ケーブル部３、オペアンプ４５、抵抗器４２ａ、抵抗器４３ａ、電源４４ａを備える。電気回路ＥＣ２は、帰還回路Ｋ２を備える。帰還回路Ｋ２は、オペアンプ２７、オペアンプ４５、抵抗器２３ａ、ケーブル部３を備える。オペアンプ２７の端子２７ｂ（出力）に信号線３１が接続され、抵抗器２３ａの端子２３ａ＿１に信号線３２が接続されることで、帰還回路Ｋ２を形成する。パッド部２ａは、オペアンプ２７、フォトダイオード２２ａ、抵抗器２３ａを備える。コネクタ部４ａは、オペアンプ４５、抵抗器４２ａ、抵抗器４３ａ、電源４４ａを備える。
【００３１】
オペアンプ２７は、インピーダンス変換素子の一例である。オペアンプ２７の端子２７ａ（入力）は、＋端子である。オペアンプ２７の端子２７ｂ（出力）は、出力端子である。オペアンプ２７の端子２７ｃは、−端子である。オペアンプ２７の端子２７ａは、抵抗器２３ａの端子２３ａ＿２とフォトダイオード２２ａのカソードＣ２とに接続されている。オペアンプ２７の端子２７ａは、フォトダイオード２２ａから出力される電流信号を受ける。オペアンプ２７の端子２７ｂは、オペアンプ２７の端子２７ｃと、ケーブル部３の信号線３１とに接続されている。オペアンプ２７の端子２７ｂは、信号線３１を介して、オペアンプ４５の端子４５ａ（−端子）に電気的に接続されている。オペアンプ２７の端子２７ｂから出力される電圧信号は、信号線３１を介して、オペアンプ４５の端子４５ａに入力する。オペアンプ２７の端子２７ｃは、オペアンプ２７の端子２７ｂに接続されている。オペアンプ２７は、オペアンプ２７の端子２７ｂの側（出力側）のインピーダンスを低減する。具体的に、オペアンプ２７は、オペアンプ４５の端子４５ａ（入力）のインピーダンスを低減する。
【００３２】
フォトダイオード２２ａは、光検出器の一例である。フォトダイオード２２ａのアノードＡ２は、シグナルグランドに接続されている。フォトダイオード２２ａのカソードＣ２は、オペアンプ２７の端子２７ａと抵抗器２３ａの端子２３ａ＿２とに接続されている。フォトダイオード２２ａは、フォトダイオード２２と同様に、パッド部２ａが貼り付けられている生体からの光を、検出す。
【００３３】
抵抗器２３ａは、帰還抵抗の一例である。抵抗器２３ａの端子２３ａ＿１は、ケーブル部３の信号線３２に接続されている。抵抗器２３ａの端子２３ａ＿２は、フォトダイオード２２ａのアノードＡ２とオペアンプ２７の端子２７ａとに接続されている。
【００３４】
オペアンプ４５は、端子４５ａ、端子４５ｂ、端子４５ｃを備える。端子４５ａ（入力）は、−端子である。端子４５ｂ（出力）は、出力端子である。端子４５ｃは、＋端子である。オペアンプ４５の端子４５ａは、ケーブル部３の信号線３１を介して、オペアンプ２７の端子２７ｂに電気的に接続される。オペアンプ４５の端子４５ａのインピーダンスは、オペアンプ２７によって低減される。オペアンプ４５は、信号線３１と端子４５ａとを介して、オペアンプ２７の端子２７ｂから出力される電気信号を受ける。オペアンプ４５の端子４５ｂは、ケーブル部３の信号線３２に接続される。オペアンプ４５の端子４５ｂは、信号線３２を介して、抵抗器２３ａの端子２３ａ＿１に電気的に接続される。オペアンプ４５の端子４５ｂは、信号線３２と抵抗器２３ａとを介して、オペアンプ２７の端子２７ａに電気的に接続される。オペアンプ４５は抵抗器２３を流れる電流信号を電圧信号に変換し、この電圧信号をオペアンプ４５の端子４５ｂに接続される、例えば、外部装置Ｅｐに出力する。オペアンプ４５の端子４５ｃは、抵抗器４２ａの端子４２ａ＿１と抵抗器４３ａの端子４３ａ＿１とに接続される。抵抗器４２ａの端子４２ａ＿２は、電源４４ａに接続される。抵抗器４３ａの端子４３ａ＿２は、シグナルグランドに接続される。電源４４ａの電圧は、抵抗器４２ａと抵抗器４３ａとによって分圧される。この分圧された電圧は、オペアンプ４５の端子４５ｃに印加される。
【００３５】
なお、図３に示す帰還回路Ｋ１は帰還抵抗として抵抗器２３を備え、図４に示す帰還回路Ｋ２は帰還抵抗として抵抗器２３ａを備えるが、帰還回路Ｋ１及び帰還回路Ｋ２は、何れも、帰還抵抗と共に帰還容量を備えることができる。図５に、帰還容量としてのキャパシタ２８を示す。帰還回路Ｋ１において、キャパシタ２８は、抵抗器２３と並列接続される。帰還回路Ｋ１において、キャパシタ２８の一端は、端子２３＿１に接続され、キャパシタ２８の他端は、端子２３＿２に接続される。帰還回路Ｋ２において、キャパシタ２８、抵抗器２３ａと並列接続される。帰還回路Ｋ２において、キャパシタ２８の一端は、端子２３ａ＿１に接続され、キャパシタ２８の他端は、端子２３ａ＿２に接続される。
【００３６】
以上説明したように、インピーダンス変換素子であるＦＥＴ２１及びオペアンプ２７の出力側（端子２１ｃの側、及び、端子２７ｂの側）のインピーダンス、すなわち、オペアンプ４１及びオペアンプ４５の入力側（端子４１ａの側、及び、端子４５ａの側）のインピーダンスを、インピーダンス変換素子であるＦＥＴ２１及びオペアンプ２７によって低減することができる。従って、インピーダンス変換素子の出力側のインピーダンスが低減されるので、生体モニタ用プローブ１，１ａ，１１，１１ａを用いて、比較的に高い周波数の信号の検出が好適に行える。インピーダンス変換素子の出力側のインピーダンスが低減されるので、インピーダンス変換素子の出力側の信号に対するノイズの影響を低減できる。インピーダンス変換素子の出力側に同軸ケーブルを用いなくても、インピーダンス変換素子の出力側におけるノイズの低減と、インピーダンス変換素子の出力側のインピーダンスの低減とが実現可能となる。
【００３７】
更に、帰還抵抗である抵抗器２３及び抵抗器２３ａがそれぞれパッド部２及びパッド部２ａに設けられているので、パッド部２及びパッド部２ａの出力側（オペアンプ４１の端子４１ｂ、及び、オペアンプ４５の端子４５ｂ）において発生するノイズが低減される。
【００３８】
更に、ケーブル部３は、インピーダンス変換素子であるＦＥＴ２１及びオペアンプ２７の出力（端子２１ｃ及び端子２７ｂ）に接続されているので、ケーブル部３のインピーダンスは、低減される。更に、ケーブル部３は、帰還回路Ｋ１及び帰還回路Ｋ２の低インピーダンス部分に含まれる。ケーブル部３のインピーダンスは低減され、ケーブル部３は帰還回路Ｋ１及び帰還回路Ｋ２の低インピータンス部分に含まれるので、ケーブル部３に発生するノイズは、低減される。
【００３９】
更に、コネクタ部４及びコネクタ部４ａは、外部装置Ｅｐに接続されるものであり、生体に貼り付けられるパッド部２及びパッド部２ａに比較して、形状の選択の自由度は高い。従って、オペアンプ４１及びオペアンプ４５は、それぞれ、このようなコネクタ部４及びコネクタ部４ａに収容されるのが、好適である。
【００４０】
帰還回路Ｋ１は、オペアンプ４１と帰還抵抗である抵抗器２３とインピーダンス変換素子であるＦＥＴ２１とを備え、帰還回路Ｋ２は、オペアンプ４５と帰還抵抗である抵抗器２３ａとインピーダンス変換素子であるオペアンプ２７とを備える。
【００４１】
生体モニタ用プローブ１及び生体モニタ用プローブ１１のように、インピーダンス変換素子として形状の小さなＦＥＴ２１を用いることができるので、インピーダンス変換素子を設けることが容易となる。
【００４２】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００４３】
１，１１，１１ａ，１ａ…生体モニタ用プローブ、２，２ａ…パッド部、２１…ＦＥＴ、２３ａ＿１，２３ａ＿２，２３＿１，２３＿２，２５＿１，２５＿２，２４＿１，２４＿２，２７ａ，２７ｂ，２７ｃ，４１ａ，４１ｂ，４１ｃ，４２ａ＿１，４２ａ＿２，４２＿１，４２＿２，４３ａ＿１，４３ａ＿２，４３＿１，４３＿２，４５ａ，４５ｂ，４５ｃ…端子、２２，２２ａ…フォトダイオード、２３，２３ａ，２４，２５，４２，４２ａ，４３，４３ａ…抵抗器、２６，４４，４４ａ…電源、２７，４１，４５…オペアンプ、２８…キャパシタ、３…ケーブル部、３１，３２…信号線、４，４ａ…コネクタ部、Ａ１，Ａ２…アノード、Ａｘ…基準線、Ｃ１，Ｃ２…カソード、Ｄ…ドレイン、ＥＣ１，ＥＣ２…電気回路、Ｅｐ…外部装置、Ｇ…ゲート、Ｋ１，Ｋ２…帰還回路、Ｓ…ソース、Ｓ１…表面、Ｔ１ａ，Ｔ１ｂ，Ｔ２ａ，Ｔ２ｂ…端部。
【図１】
2014094176.tif 000003
【図２】
2014094176.tif 000004
【図３】
2014094176.tif 000005
【図４】
2014094176.tif 000006
【図５】
2014094176.tif 000007